(57)【要約】  サブスクリプション・サービスからのコンテンツ・データをポータブル・メディア・デバイスに受け渡すシステムが提供される。このシステムは、サブスクリプション・サービスからコンテンツ・データを受信するセットトップ・ボックスを含む。データ・ストレージ・デバイスは、セットトップ・ボックスに動作可能に結合される。プリプロセッサは、データ・ストレージ・デバイスに動作可能に結合され、コンテンツ・データに暗号化を施し、ポータブル・メディア・デバイスに対する出力を有する。
2008546047.tif 000002
【特許請求の範囲】
【請求項１】
サブスクリプション・サービスからのコンテンツ・データをポータブル・メディア・デバイスに受け渡すシステムであって、
前記サブスクリプション・サービスから前記コンテンツ・データを受信するセットトップ・ボックスと、
前記セットトップ・ボックスに動作可能に結合されたデータ・ストレージ・デバイスと、
前記データ・ストレージ・デバイスに動作可能に結合され、前記コンテンツ・データに暗号化を施し、前記ポータブル・メディア・デバイスに対する出力を有するプリプロセッサと、を含むシステム。
【請求項２】
前記プリプロセッサが前記暗号化されたコンテンツ・データに対してトランスコーディング処理をさらに施す請求項１に記載のシステム。
【請求項３】
前記プリプロセッサが前記暗号化されたコンテンツ・データに対してトランスレーティング処理をさらに施す請求項１に記載のシステム。
【請求項４】
前記プリプロセッサがオフラインで動作する請求項３に記載のシステム。
【請求項５】
サブスクリプション・サービスからのコンテンツ・データをポータブル・メディア・デバイスに受け渡す方法であって、
前記サブスクリプション・サービスからセットトップ・ボックス内への暗号化されたデータ信号を受信するステップと、
前記暗号化されたデータ信号を保存するステップと、
前記暗号化されたデータ信号の暗号化を解除するステップと、
前記暗号化が解除されたデータ信号を前処理してソフトウエア暗号化を施すステップと、を含む方法。
【請求項６】
前処理の間に前記暗号化が解除されたデータ信号に対してトランスコーディング処理を施すステップをさらに含む請求項５に記載の方法。
【請求項７】
前処理の間に前記暗号化が解除されたデータ信号に対してトランスレーティング処理を施すステップをさらに含む請求項５に記載の方法。
【請求項８】
前記ポータブル・メディア・デバイス内で前記データ信号の暗号を解除するステップをさらに含む請求項５に記載の方法。
【請求項９】
サブスクリプション・サービスからのコンテンツ・データを受信するポータブル・メディア・デバイスであって、
セットトップ・ボックスから暗号化されたコンテンツ・データを受信する入力と、
前記コンテンツ・データを保存するストレージ媒体と、
前記コンテンツ・データの暗号化を解除する暗号化解除サブシステムと、を含むポータブル・メディア・デバイス。
【発明の詳細な説明】
【技術分野】
【０００１】
（関連出願のデータ）
本出願は、米国特許法第１１９条に基づいて２００５年５月１３日付で先に出願された仮特許出願の第６０／６８０，６９７号の優先権を主張するものである。
【０００２】
本発明は、ディジタル・オーディオおよびビデオ再生装置の分野に関し、より具体的には、ポータブル・メディア・プレイヤーおよびサブスクリプション・サービス・システムに関する。
【背景技術】
【０００３】
ＭＰ３（Ｍｏｔｉｏｎ  Ｐｉｃｔｕｒｅ  Ｅｘｐｅｒｔｓ  Ｇｒｏｕｐ‐Ｌａｙｅｒ３）およびＭＰＥＧなどの圧縮されたディジタルのオーディオ・フォーマットやビデオ・フォーマットの開発により、コンピュータおよびポータブル・メディア・プレイヤー（ＰＭＰ：ｐｏｒｔａｂｌｅ  ｍｅｄｉａ  ｐｌａｙｅｒ）・デバイス上でディジタルのオーディオ・データやビデオ・データの記録、保存、転送、および再生を行うことが普及した。特に、圧縮されたディジタルのオーディオ・フォーマットやビデオ・フォーマットにより、保存および転送に必要なディジタル・データの量が少なくなるため、高品質のオーディオやビデオのコンテンツをより効率的に保存、転送することが可能となり、結果として、データ・ファイルは、オリジナルの圧縮されていないディジタル・ファイルの一部であっても、出力の品質を許容不可能に低下させるものではない。ＰＭＰデバイスは、コンピュータまたは他のブロードバンド・アクセス・デバイス（以下、単に、「ホスト」と参照する）からコンテンツをダウンロードする機能を有し、市場での人気を博している。
【０００４】
近年、比較的低コストで、軽量で、コンパクトなＰＭＰが開発されている。これらのポータブル・デバイスは、ＵＳＢ、「Ｆｉｒｅ  Ｗｉｒｅ（ＩＥＥＥ１３９４）」、または、無線ＬＡＮ（ＷＬＡＮ）などの外部コネクションを介して関連するコンピュータに基づくソフトウエアを使用して、消費者が自己のホスト／コンピュータ上に保存された圧縮されたディジタルのオーディオおよび／またはビデオのファイルをポータブル・デバイスに転送し、自己のＰＭＰを介してオンデマンドに対応するメディアを再生することを可能にする。ユーザは、ごく一般的には、デバイス上の標準のジャックを介してヘッドフォンを接続することにより、デバイス上のオーディオにアクセスする。ライン出力ケーブルを他のオーディオ出力や、標準的な家庭用ステレオ・システムのマイクロフォン入力などの記録デバイスに結合させることも可能である。
【０００５】
一般に、従来のＰＭＰは、そのユーザが、（１）ホスト上にインストールされた関連する転送管理ソフトウエアおよび、ＵＳＢケーブルまたは他の手段など、ホストに対する物理的なコネクションの使用により、ホストからの圧縮されたメディア・ファイルをＰＭＰに転送すること、（２）このような圧縮されたメディア・ファイルをメモリに保存すること、（３）様々な圧縮アルゴリズムのいずれかの再生のために復号すること、（４）圧縮された、または、圧縮されていないディジタル・ファイルをアナログ・フォーマットに変換すること、（５）結果として得られたアナログ信号を処理し、増幅すること、（６）ユーザのために、瞬時に、オンデマンドに再生、停止、早送り、巻き戻し、スキップ、およびリプレイされる忠実度の高いサウンドおよびビデオを作成すること、を可能にする機能を有する。
【０００６】
現在、消費者は、従来の放送メディアおよび他の手段を介してエンターテインメント番組を利用することができ、これには、ラップトップ・コンピュータおよびデスクトップ・コンピュータを介してアクセス可能なインターネットに基づくストリーミング、ケーブル接続されたテレビジョン・セットを介してアクセス可能なディジタル・ケーブルのテレビジョン・サービスやラジオ・サービスなど、一般に、有線入力に接続されたデバイスの使用が必要となる。さらに、ＤｉｒｅｃＴＶ、ケーブル、ＤＳＬ、または、他のテレビジョンのためのブロードバンド無線配信サービスなどの、サブスクリプションに基づく商用の衛星放送サービスは、消費者が利用可能な局を選択することによって、長時間の番組を受信することを可能とする。
【０００７】
エンターテインメント番組のコンテンツは、インターネットに基づくストリーミングを介してＰＭＰによってアクセスされることが多いが、サブスクリプションに基づく商用の放送サービスからのコンテンツにアクセスする一方、ＰＭＰからの不正なコピーおよび／または再頒布からメディア・コンテンツを保護するシステムおよび方法の改良を推進することが望ましい。
【発明の開示】
【０００８】
上述した要求を取り扱う、特に、サブスクリプション・サービスからのコンテンツ・データをポータブル・メディア・デバイスに受け渡すシステムが提供される。このシステムは、サブスクリプション・サービスからコンテンツ・データを受信するセットトップ・ボックスを含む。データ・ストレージ・デバイスは、セットトップ・ボックスに動作可能に結合される。プリプロセッサは、データ・ストレージ・デバイスに動作可能に結合され、コンテンツ・データに暗号化を施し、ポータブル・メディア・デバイスに対する出力を有する。
【０００９】
次に、添付図面を参照して本発明を例示的に説明する。
【発明を実施するための最良の形態】
【００１０】
図１は、ＰＭＰを利用してサブスクリプションに基づく放送サービスからのコンテンツにアクセスするためのシステムを示している。ここで図示するシステムは、ＰＭＰからの不正なコピーおよび再頒布からメディア・コンテンツを保護するように設計されている。セットトップ・ボックス（ＳＴＢ：ｓｅｔ‐ｔｏｐ  ｂｏｘ）１０は、トランスポート・プロセッサ１４を含み、このトランスポート・プロセッサ１４は、公知の放送システムのリンク層から入力される信号を受信する。トランスポート・プロセッサ１４は、限定受信（ｃｏｎｄｉｔｉｏｎａｌ  ａｃｃｅｓｓ）プロセッサ１６に動作可能に結合され、限定受信プロセッサ１６は、処理された信号をＡ／Ｖ（ａｕｄｉｏｖｉｓｕａｌ）復号器１８に受け渡す。復号された信号は、従来の技術による表示のためにＡ／Ｖ復号器１８からＮＴＳＣ復号器に受け渡される。限定受信プロセッサ１６は、セキュアなＡＶ（ａｕｄｉｏｖｉｓｕａｌ）チップ１２に動作可能に結合される。このＡＶチップ１２は、公知の独自のユーザや装置の識別コードを格納するスマートカード１３によって起動することができる。ハードディスク・ドライブ２０は、オプションとして、ＳＴＢ１０内部に設けることもできるし、または、図示するように、ＳＴＢ１０の外部に設けることもできる。本実施の形態においては、番組ストリームおよび制御データは、トランスポート・プロセッサ１４からハードディスク・ドライブ２０に受け渡され、ハードディスク・ドライブ２０に保存される。前処理ソフトウエア３０は、ハードディスク・ドライブ２０上に保存された番組ストリームおよび制御データを処理する。前処理ソフトウエア３０を利用することにより、番組ストリームおよび制御データが暗号化され、トランスコーディング処理および／またはトランスレーティング処理が行われ、ＰＭＰに対する出力のための番組ストリームおよび制御データが準備される。
【００１１】
コンテンツ・データは、放送暗号化された形態でハードディスク・ドライブ２０に保存され、続いて、限定受信プロセッサ１６により暗号化が解除され、通常の処理に従って表示のための復号化が行われるか、または、ＰＭＰへの転送など、後続する処理のための前処理が行われる。
【００１２】
次に、前処理ソフトウエア３０についてより詳細に説明する。ＰＭＰに対する転送準備のため、前処理プロセッサ３０は、トランスコーディング処理／トランスレーティング処理、さらに、ソフトウエア暗号化を施すことができる。トランスコーディングは、一般的に、解像度、圧縮形式、または、圧縮レートを変更するために使用される。代替的には、トランスレーティングは、レートを低下することができ、フルサイズを縮小し、画質を低下させる、より単純な処理である。トランスコーディング処理は、一般に、フレキシブルであるが、ホスト・プロセッサに対する負荷のかかる処理である。トランスレーティング処理は、画質を犠牲にしてレートを低下させるものに限定されない。前処理ソフトウエア３０は、限定受信プロセッサ１６からの入力を受信する。トランスコーディング処理および／またはトランスレーティング処理は、３２において、入力されるデータに対して施され、この後、３４において、ソフトウエア暗号化が行われる。トランスコーディング処理／トランスレーティング処理および暗号化がなされたデータは、次に、ハードディスク・ドライブ２０に保存される。このデータは、ＮＴＳＣ復号器への出力のため、３８において、暗号化解除され、３６において、復号化される。あるいは、このデータは、暗号化を解除するための暗号化解除サブシステムにおいて同様の暗号化解除機能および復号機能を有するＰＭＰに出力され、このＰＭＰのディスプレイ上で再生される。
【００１３】
図２に第１の代替的な実施の形態を示す。この実施の形態においては、コンテンツ・データは、まず、限定受信プロセッサ１６を通過し、放送暗号化が解除され、（ハードウエアまたはソフトウエアに基づく）ローカル暗号化機構によって再度暗号化された後、ハードディスク・ドライブ２０に保存される。後続する処理では、セットトップ・ボックス１０は、ハードディスク・ドライブ２０からコンテンツ・データを引き出し、暗号化を解除し、ＰＭＰに対する転送に備えてトランスコーディング処理／トランスレーティング処理／ソフトウエア暗号化を行う前処理ソフトウエア３２、３４に供給する。この場合、前処理ソフトウエア３２、３４は、リアルタイムでない処理を行う場合もある。さらに、トランスコーディング処理／トランスレーティング処理され、ソフトウエア暗号化された情報がハードディスク・ドライブ２０に再び保存される場合もある。これにより、ＰＭＰへの転送のためにオフラインで非リアルタイムにコンテンツを準備することが可能となる。本実施の形態においては、ＳＴＢから出るコンテンツは、営業ルールによって許されている場合を除き、暗号化されないクリアな状態にはないようにすることが望ましい。全ての暗号化処理がバイパスされるような例は、放送コンテンツの公正使用である。図２の点線で囲まれている各コンポーネントは、好ましくは、セキュリティが確保され、セットトップ・ボックス１０内に封入されているか、もしくは、外部のユーザ・アクセスができない状態に封入されている。
【００１４】
図３にポータブル・メディア・プレイヤーの例をブロック図の形態で示す。例示的なポータブル・デバイスとしてＰＭＰが示されているがパーソナル・ディジタル・アシスタント、携帯電話、スマート・フォンなど、保存されたコンテンツ・データを受信する機能を有する他のポータブル・デバイスも本発明の精神の範囲内である。ディジタル信号プロセッサ４０は、マイクロコントローラ４４によって駆動される。制御キー、スイッチ、赤外線受信機、およびその他の制御デバイスなどの制御部品は、動作可能にマイクロコントローラ４４に結合され、ユーザによる入力および制御を可能とする。バッテリ７２を有するパワー・ブロック７０、バッテリ７２に動作可能に結合された充電コントローラ７４、およびＤＣ入力ジャック７６によってデバイスは電力の供給を受ける。メモリは、ディジタル信号プロセッサ４０に動作可能に結合されたＮＯＲフラッシュ・メモリ４６およびＳＤＲＡＭ４８、さらに、ハードディスク・ドライブ５０の形態で提供される。入出力ジャック５４または他のドッキング・ベイ・コネクタ５８は、ビデオＡＤＣ５２を介してディジタル信号プロセッサ４０に供給されるコンポジット・ビデオ入力を受信する。さらに、コンポジット・ビデオ出力は、ディジタル信号プロセッサ４０から入出力ジャック５４または他のドッキング・ベイ・コネクタ５８に供給される。これにより、ネイティブに圧縮されたアナログ・コンテンツをＰＭＰに提示することができる。オーディオ・コーデックおよびヘッドフォン増幅器５６は、ディジタル信号プロセッサおよびコネクタ５４、５８との間で結合される。スピーカ６０は、ヘッドフォン増幅器５６に結合される。ＳＤカード・スロット６２は、外部メモリをディジタル信号プロセッサ４０に結合するために設けられる。また、ＬＣＤディスプレイ６４は、出力デバイスとしてディジタル信号プロセッサ４０に結合される。さらに、ＰＭＰは、ＵＳＢミニ・ジャック６６、データ・スイッチ６８、およびＵＳＢインターフェース６９を介してＵＳＢ入出力機能を有する。図１および図２のシステムからのコンテンツ・データの転送は、コネクタ５８またはＵＳＢジャック６６を介して提供される。上述したように、ハードディスク・ドライブ２０上のコンテンツは、ＰＭＰのハードディスク・ドライブ５０に転送される前にホストにおいてトランスコーディング処理／トランスレーティング処理、および／または暗号化される場合がある。ＰＭＰは、エンド・ユーザによる使用のために、コンテンツの暗号化解除、復号を行う適切な機構を有する暗号化解除サブシステムを含む。
【００１５】
動作の際には、ムービーなどの所望のコンテンツ・データがセットトップ・ボックス１０からハードディスク・ドライブ２０に保存される。セットトップ・ボックスは、サブスクリプション・サービスからデータを受信したため、このデータは、放送前に暗号化されている。所望のデータは、図１に示すように放送暗号を除去する前にハードディスク・ドライブ２０上に保存してもよく、図２に示すように、暗号化を解除して、ローカル暗号化機構での処理が施された後にハードディスク・ドライブ２０上に保存してもよい。保存されたコンテンツ・データは、前述したように、リアルタイムに、または、オフラインに（必要であれば、トランスコーディング処理またはトランスレーティング処理、さらに、暗号化を含む一連の処理を介して）変換される。前処理されたコンテンツ・データは、次に、図３に示すポータブル・メディア・デバイスに搬送される。ポータブル・メディア・デバイスは、暗号化解除機能を有し、搬送前に前処理されたコンテンツ・データを復元する。
【００１６】
データは、サブスクリプション・サービスから、プリプロセッサ３０によって提供される認定されたコピー保護機能を有するセットトップ・ボックス１０を介してポータブル・デバイスに転送され、ポータブル・デバイス上で暗号化の解除がなされるとよい。本発明は、ポータブル・メディア・プレイヤーを有する例示的な実施の形態に関連して説明したが、携帯情報端末（ＰＤＡ）、携帯電話、スマート・フォンなどの他のポータブル・メディア・デバイスも本発明の範囲に包含されるように意図されている。
【図面の簡単な説明】
【００１７】
【図１】図１は、ポータブル・メディア・デバイスにコンテンツを転送するためのセキュリティおよびトランスコーディングのモデルの例示的な実施の形態を示すブロック図である。
【図２】図２は、ポータブル・メディア・デバイスにコンテンツを転送するためのセキュリティおよびトランスコーディングのモデルの第２の例示的な実施の形態を示すブロック図である。
【図３】図３は、図１および図２の各モデルにおいて使用されるポータブル・メディア・デバイスのブロック図である。
【図１】
2008546047.tif 000003
【図２】
2008546047.tif 000004
【図３】
2008546047.tif 000005
【国際調査報告】
2008546047.tif 000006
2008546047.tif 000007